(57)【要約】【課題】携帯型情報処理装置の本体筐体の美観を損なうことなく、着脱容易かつ確実に取り付け可能なキーボードユニットを提供する。【解決手段】複数のキーを第１の面に配置され、携帯型情報処理装置の筐体に取り付けられるキーボードユニットを、携帯型情報処理装置の筐体に構成された凹部と係合可能な引っ掛け部を一端に有するとともに、携帯型情報処理装置の筐体に出入り可能に構成された爪部と係合可能な爪受け部を他端に有するように構成する。【選択図】図１
2010231552.tif 000002
【特許請求の範囲】
【請求項１】
複数のキーを第１の面に配置され、携帯型情報処理装置の筐体に取り付けられるキーボードユニットであって、
前記筐体に構成された凹部と係合可能な引っ掛け部を一端に有するとともに、前記筐体に出入り可能に構成された爪部と係合可能な爪受け部を他端に有することを特徴とする、キーボードユニット。
【請求項２】
前記第１の面に対向する面にネジ穴を有することを特徴とする、請求項１に記載のキーボードユニット。
【請求項３】
複数のキーを第１の面に配置されたキーボードユニットを取り付け可能な筐体を有する携帯型情報処理装置であって、前記筐体は、
前記キーボードユニットの一端に設けられた引っ掛け部に係合可能な凹部と、
前記キーボードユニットと接触しない第１の位置と、前記キーボードユニットの他端に設けられた爪受け部において前記キーボードユニットを係止する第２の位置とに移動可能な爪部とを有することを特徴とする、携帯型情報処理装置。
【請求項４】
複数のキーを第１の面に配置されたキーボードユニットと筐体とが、
前記キーボードユニットの一端に設けられた引っ掛け部と、前記筐体に設けられた凹部とが係合し、
前記キーボードユニットの他端に設けられた爪受け部と、前記筐体に、前記キーボードユニットと接触しない第１の位置と、前記爪受け部において前記キーボードユニットを係止する第２の位置とに移動可能に設けられた爪部とが係合し、
前記第１の面に対向する面からのネジにより係合することによって取り付けられている、携帯型情報処理装置。
【発明の詳細な説明】
【技術分野】
【０００１】
本発明は、携帯型情報処理装置の本体筐体に取り付けて使用されるキーボードユニットに関する。
【背景技術】
【０００２】
携帯型の情報処理装置であるノートパソコンは、入力手段としてキーボードを備えるよう構成されることが一般的である。キーボードは、押下されたときに所定の信号を発する複数のキーからなるものであり、キーを個別に本体に取り付けるのはきわめて煩雑である。よって、複数のキーをまとめてキーボードユニットを構成し、このキーボードユニットを本体に組み込んでノートパソコンを構成することが一般に行われている。
【０００３】
キーボードユニットが本体に確実に固定されていないと、キーボードを打鍵したときの感触があやふやなものとなり、ユーザの使用感を損なう。一方、ノートパソコンの内部構成を購入者の指示に従って作成するＢＴＯ(Build to order)形式の生産やノートパソコンの修理などのためにキーボードユニットの下に配置された部品を交換する場合、キーボードユニットの着脱が必要となる。
【０００４】
よって、キーボードユニットと携帯型情報処理装置とは、着脱容易かつ確実に固定することが求められる。特許文献１には、キーボード装着口に対し係合片を先頭にした斜めの
姿勢で筐体の上方から差し込むことで、係合片を切り欠きに係合させ、取り付け片を取り付け凹部にねじ止めすることで筐体に固定されるキーボードユニットが記載されている。
【先行技術文献】
【特許文献】
【０００５】
【特許文献１】特開２００２−２３６５２３号公報
【発明の概要】
【発明が解決しようとする課題】
【０００６】
特許文献１に記載のキーボードユニットは、キーボードユニットの一端に設けられた係合片を本体筐体と係合させた上で他端に設けられた取り付け片をねじ止めすることにより固定されている。
【０００７】
かかる構造において、取り付け片をキーボード操作面側、すなわち本体筐体の外部からねじ止めすると、キーボード操作面からねじが露出するため、美観を損なうとともに、使用に伴ってねじが緩んだときに紛失するなどの問題がある。かかる問題を解消するために、特許文献１では、取り付け片のねじ止め部をカバーで隠すことが記載されているが、カバーは本体とは別部材で構成されるので一体感を欠き、デザインが限定される。
【０００８】
一方、取り付け片をキーボード操作面の反対側、すなわち本体筐体の内部からねじ止めすると、キーボード着脱には上下を逆に配置することになるため、ねじ止めまたはねじ外しの作業中にキーボードユニットを保持する必要があり、着脱作業が煩雑である。
【０００９】
そこで、本発明は、携帯型情報処理装置の本体筐体の美観を損なうことなく、着脱容易かつ確実に取り付け可能なキーボードユニットを提供することを目的とする。
【課題を解決するための手段】
【００１０】
本発明のキーボードユニットは、複数のキーを第１の面に配置され、携帯型情報処理装置の筐体に取り付けられるキーボードユニットであって、筐体に構成された凹部と係合可能な引っ掛け部を一端に有するとともに、筐体に出入り可能に構成された爪部と係合可能な爪受け部を他端に有することを特徴とする。
【００１１】
本発明の第１の携帯型情報処理装置は、複数のキーを第１の面に配置されたキーボードユニットを取り付け可能な筐体を有する携帯型情報処理装置であって、筐体は、キーボードユニットの一端に設けられた引っ掛け部に係合可能な凹部と、キーボードユニットと接触しない第１の位置と、キーボードユニットの他端に設けられた爪受け部においてキーボードユニットを係止する第２の位置とに移動可能な爪部とを有することを特徴とする。
【００１２】
本発明の第２の携帯型情報処理装置は、複数のキーを第１の面に配置されたキーボードユニットと筐体とが、キーボードユニットの一端に設けられた引っ掛け部と、筐体に設けられた凹部とが係合し、キーボードユニットの他端に設けられた爪受け部と、筐体に、キーボードユニットと接触しない第１の位置と、爪受け部においてキーボードユニットを係止する第２の位置とに移動可能に設けられた爪部とが係合し、第１の面に対向する面からのネジにより係合することによって取り付けられていることを特徴とする。
【発明の効果】
【００１３】
本発明によれば、携帯型情報処理装置の本体筐体の美観を損なうことなく、着脱容易かつ確実に取り付け可能なキーボードユニットを提供できる。
【図面の簡単な説明】
【００１４】
【図１】本実施形態のキーボードユニットの背面図である。
【図２】本実施形態のキーボードユニットが取り付けられたノート型パーソナルコンピュータの斜視図である。
【図３】本実施形態のキーボードユニットをノート型パーソナルコンピュータの本体筐体に取り付ける状態の断面図である。
【発明を実施するための形態】
【００１５】
以下、図面を参照して本発明を実施するための形態について詳細に説明する。本実施形態は、携帯型情報処理装置であるノート型パーソナルコンピュータに取り付けられるキーボードユニットである。
【００１６】
図１は、本実施形態のキーボードユニットの背面図である。図１を参照すると、キーボードユニット１は、爪受け部２、引っ掛け部３とネジ穴４を有する。キーボードユニット１は、図示しない複数のキーをまとめて１つのユニットとして構成される。爪受け部２および引っ掛け部３は、ノート型パーソナルコンピュータの本体筐体と係合するように両端に構成されている。図１では、キーボードユニット１に耳状に爪受け部２と引っ掛け部３を構成した状態を示しているが、これに限らない。ネジ穴４は、ノート型パーソナルコンピュータの本体筐体と固定するためのネジが螺着される。
【００１７】
図２は、本実施形態のキーボードユニットが取り付けられたノート型パーソナルコンピュータの斜視図である。薄型ディスプレイを有する表示部筐体とキーボードユニット１が取り付けられる本体筐体５とをヒンジで接続したノート型パーソナルコンピュータを示しているが、本発明の実施形態はこれに限定されず、本体にキーボードユニットが取り付けられた携帯型情報処理装置であればよい。本体筐体５には爪６が上面から操作可能に設けられており、これの操作によってキーボードユニット１を本体筐体５から取り外すことができる。爪６は、図２で示すように上面に露出していてもよいし、カバーで隠すようにしてもよい。
【００１８】
図３は、本実施形態のキーボードユニットをノート型パーソナルコンピュータの本体筐体に取り付ける状態の断面図である。図３は、図２におけるＡ−Ａで切断した場合の、キーボードユニット周辺の断面図を示している。（ａ）を参照すると、複数のキー８を有するキーボードユニット１は、一端に設けられた引っ掛け部３が凹部７において本体筐体５と係合している。この状態から、バネなどの弾性体によって付勢された爪６を矢印方向に移動させてキーボードユニット１が引っ掛け部３を中心として回転して下降することで、（ｂ）の状態になる。矢印方向への爪６の移動は、本体筐体５の上面に露出した爪６を操作することによっても可能であるが、キーボードユニット１が下降するときに接触する爪６の側面を斜めに形成しておくことで、キーボードユニット１が下降する動きによって爪６が矢印方向に移動するように構成することもできる。このように構成すると、より簡単な操作で本体筐体５にキーボードユニット１を取り付けることができる。
【００１９】
（ｂ）は、キーボードユニット１が本体筐体５の所定位置まで下降し、爪６がバネなどの付勢によって矢印方向に移動して爪受け部２と係合した状態を示している。爪６と爪受け部２とが係合することで、キーボードユニット１と本体筐体５とが固定される。
【００２０】
（ｃ）は、本体筐体５とネジ穴４とをネジ９で螺着した状態を示している。これにより、キーボードユニット１は本体筐体５と確実に取り付けられる。ネジ９の螺着のために本体筐体５の向きを変えても、爪６と爪受け部２との係合によって固定されているため、キーボードユニット１の本体筐体５からの落下を防止することができる。
【００２１】
なお、上記手順を逆にすることで、本体筐体５からキーボードユニット１を容易に取り外すことができる。具体的には、（ｃ）の状態からネジ９を外して（ｂ）の状態とし、爪６を（ａ）の矢印の方向に移動させてキーボードユニット１を持ち上げればよい。
【００２２】
以上のように構成することで、キーボードユニットをノート型パーソナルコンピュータに、着脱容易かつ確実に取り付け可能に構成することができる。
【符号の説明】
【００２３】
１  キーボードユニット
２  爪受け部
３  引っ掛け部
４  ネジ穴
５  本体筐体
６  爪
７  凹部
８  キー
９  ネジ
【図１】
2010231552.tif 000003
【図２】
2010231552.tif 000004
【図３】
2010231552.tif 000005